(57)【要約】      （修正有）【課題】上下階での空気の循環性能を向上可能な位置に配置された空調機を備える空調システム、建物、及び、空調方法を提供する。【解決手段】空調システムは、少なくとも１つの床部１１を挟んで鉛直方向の上下に位置する下階空間及び上階空間と、下階空間及び上階空間と水平方向で連続すると共に、下階空間の階層から上階空間の階層に亘って延在している２つの連通路４，５と、を備える建物１、の空調システムであって、下階空間の階層において、平面視で、下階空間、又は、２つの連通路４，５、の位置に設置されている第１空調機６と、上階空間の階層において、平面視で、上階空間、又は、２つの連通路４，５、の位置に設置されている第２空調機７と、を備える。【選択図】図３
2019100599.tif 000002
【特許請求の範囲】
【請求項１】
少なくとも１つの床部を挟んで鉛直方向の上下に位置する下階空間及び上階空間と、前記下階空間及び前記上階空間と水平方向で連続すると共に、前記下階空間の階層から前記上階空間の階層に亘って延在している２つの連通路と、を備える建物、の空調システムであって、
前記下階空間の階層において、平面視で、前記下階空間、又は、前記２つの連通路、の位置に設置されている第１空調機と、
前記上階空間の階層において、平面視で、前記上階空間、又は、前記２つの連通路、の位置に設置されている第２空調機と、を備える空調システム。
【請求項２】
前記２つの連通路の一方の連通路である第１連通路を区画する第１区画壁面は、前記下階空間及び前記上階空間と対向して配置される第１対向壁面を備え、
前記２つの連通路の他方の連通路である第２連通路を区画する第２区画壁面は、前記下階空間及び前記上階空間と対向して配置される第２対向壁面を備え、
前記第１空調機は、前記第１対向壁面及び前記第２対向壁面の一方の対向壁面に沿って、前記上階空間の階層に風を供給可能であり、
前記第２空調機は、前記第１対向壁面及び前記第２対向壁面の他方の対向壁面に沿って、前記下階空間の階層に風を供給可能である、請求項１に記載の空調システム。
【請求項３】
前記第１連通路及び前記第２連通路は、平面視で前記下階空間及び前記上階空間を挟む位置に配置されており、
前記第１対向壁面及び前記第２対向壁面は、対向して配置されている、請求項２に記載の空調システム。
【請求項４】
前記第１空調機は、平面視で前記第１連通路の位置に設けられ、前記第２連通路に向かって吹き出し口が向けられており、
前記第２空調機は、平面視で前記第２連通路の位置に設けられ、前記第１連通路に向かって吹き出し口が向けられている、請求項２又は３に記載の空調システム。
【請求項５】
前記第１空調機は、前記第２対向壁面に沿って、前記下階空間の階層から前記上階空間の階層に風を供給し、
前記第２空調機は、前記第１対向壁面に沿って、前記上階空間の階層から前記下階空間の階層に風を供給する、請求項４に記載の空調システム。
【請求項６】
前記第２区画壁面は、平面視で、前記第２対向壁面の延在方向において前記第２対向壁面の両側に位置し、前記下階空間及び前記上階空間に向かって延在する２つの側壁面を備え、
前記第１空調機は、前記２つの側壁面の一方に沿って風を送り出し、前記第２対向壁面、前記２つの側壁面の他方、の順に沿うように風を送り出した後、前記第１対向壁面に沿って、前記下階空間の階層から前記上階空間の階層に、風を供給可能である、請求項２乃至４のいずれか１つに記載の空調システム。
【請求項７】
前記２つの側壁面を、２つの第２側壁面とした場合、
前記第１区画壁面は、平面視で、前記第１対向壁面の延在方向において前記第１対向壁面の両側に位置し、前記下階空間及び前記上階空間に向かって延在する２つの第１側壁面を備え、
前記第２空調機は、前記２つの第１側壁面の一方に沿って風を送り出し、前記第１対向壁面、前記２つの第１側壁面の他方、の順に沿うように風を送り出した後、前記第２対向壁面に沿って、前記上階空間の階層から前記下階空間の階層に、風を供給可能である、請求項６に記載の空調システム。
【請求項８】
前記２つの第１側壁面の少なくとも１つは、前記下階空間を区画する下階区画壁面、及び、前記上階空間を区画する上階区画壁面、の少なくともいずれか一方の壁面と連続しており、
前記少なくともいずれか一方の壁面は、前記２つの第２側壁面の少なくとも１つと連続している、請求項７の記載の空調システム。
【請求項９】
前記第１空調機及び前記第２空調機の風量を制御する制御装置を備え、
前記制御装置は、前記第１空調機の風量と前記第２空調機の風量との大小関係を、冷房時と暖房時とで変更する、請求項１乃至８のいずれか１つに記載の空調システム。
【請求項１０】
前記制御装置は、冷房時において、前記第２空調機の風量を、前記第１空調機の風量よりも小さくする、請求項９に記載の空調システム。
【請求項１１】
前記制御装置は、暖房時において、前記第１空調機の風量を、前記第２空調機の風量よりも小さくする、請求項９又は１０に記載の空調システム。
【請求項１２】
前記第１空調機及び前記第２空調機の風量を制御する制御装置と、
前記下階空間の階層に設けられた下階人感センサと、
前記上階空間の階層に設けられた上階人感センサと、を備え、
前記制御装置は、前記下階人感センサ及び前記上階人感センサの検出結果に基づき、前記第１空調機及び前記第２空調機の風量を制御する、請求項１乃至８のいずれか１つに記載の空調システム。
【請求項１３】
前記下階人感センサ及び前記上階人感センサの一方の人感センサが人を検出し、かつ、他方の人感センサが人を検出していない場合、前記制御装置は、前記第１空調機及び前記第２空調機のうち、前記一方の人感センサが配置されている階層に設けられている空調機の風量を、前記他方の人感センサが配置されている階層に設けられている空調機の風量よりも小さくする、請求項１２に記載の空調システム。
【請求項１４】
前記制御装置は、前記第１空調機の風量及び前記第２空調機の風量の総和を所定値以上に維持するように、前記第１空調機の風量及び前記第２空調機の風量を制御する、請求項９乃至１３のいずれか１つに記載の空調システム。
【請求項１５】
請求項１乃至１４のいずれか１つに記載の空調システムを備える建物。
【請求項１６】
少なくとも１つの床部を挟んで鉛直方向の上下に位置する下階空間及び上階空間と、前記下階空間及び前記上階空間と水平方向で連続すると共に、前記下階空間の階層から前記上階空間の階層に亘って延在している２つの連通路と、を備える建物、の空調方法であって、
前記下階空間の階層において、平面視で、前記下階空間、又は、前記２つの連通路、の位置に設置されている第１空調機により、前記２つの連通路の一方を通じて、前記下階空間の階層から前記上階空間の階層に風を供給すると共に、前記上階空間の階層において、平面視で、前記上階空間、又は、前記２つの連通路、の位置に設置されている第２空調機により、前記２つの連通路の他方を通じて、前記上階空間の階層から前記下階空間の階層に風を供給することにより、前記下階空間の階層と前記上階空間の階層とで空気を循環させる空調方法。
【発明の詳細な説明】
【技術分野】
【０００１】
本発明は、空調システム、建物及び空調方法に関する。
【背景技術】
【０００２】
従来から、建物の各居室に空調機を設置し、各居室で個別に空調する空調システムが知られている。特許文献１には、高気密高断熱住宅における大部屋の天井に設置した室内ユニットで冷房運転を行い、大部屋の最下部に設置した室内ユニットで暖房運転を行うことで、大部屋の室内空気温度を均一にする空気調和装置が開示されている。また、特許文献１に記載の住宅には、循環口を介して大部屋と連通する小部屋があり、大部屋及び小部屋で空気を循環させることで、住宅内全体を空気調和することが記載されている。
【０００３】
また、特許文献２には、建物の内部空間を構成する階段室や吹き抜け自体をダクトとして利用し、これらの階段室、吹き抜け及び各居室の間で空気を循環させ、ダクトを用いることなく全館空調を行うことを目的とした高気密高断熱建物が開示されている。
【先行技術文献】
【特許文献】
【０００４】
【特許文献１】特開平１１−１４１７８号公報
【特許文献２】特開平１０−７７６９３号公報
【発明の概要】
【発明が解決しようとする課題】
【０００５】
特許文献１に記載の空気調和装置が設けられた住宅では、上下階に亘って延在する大部屋と、上下階それぞれに位置する各小部屋と、が循環口を通じて連通している。そのため、大部屋の温度と上下階それぞれに位置する小部屋の温度とを、循環口を通じた空気の循環により、均一化し得る。また、特許文献２に記載の高気密高断熱建物においても、吹き抜け又は階段室からなる連通路が、各階の居室と連通している。そのため、鉛直方向の上下に位置する各階の居室の温度を、連通路を通じた空気の循環により、均一化し得る。
【０００６】
しかしながら、特許文献１において、空調機としての冷房用及び暖房用の室内ユニットの平面視での配置位置は何ら言及されていない。また、特許文献２においても、空調機としての冷房装置及び暖房装置の平面視での配置位置は何ら言及されていない。
【０００７】
そこで本発明は、上下階での空気の循環性能を向上可能な位置に配置された空調機を備える空調システム、建物、及び、空調方法を提供することを目的とする。
【課題を解決するための手段】
【０００８】
本発明の第１の態様としての空調システムは、少なくとも１つの床部を挟んで鉛直方向の上下に位置する下階空間及び上階空間と、前記下階空間及び前記上階空間と水平方向で連続すると共に、前記下階空間の階層から前記上階空間の階層に亘って延在している２つの連通路と、を備える建物、の空調システムであって、前記下階空間の階層において、平面視で、前記下階空間、又は、前記２つの連通路、の位置に設置されている第１空調機と、前記上階空間の階層において、平面視で、前記上階空間、又は、前記２つの連通路、の位置に設置されている第２空調機と、を備える。
【０００９】
本発明の１つの実施形態として、前記２つの連通路の一方の連通路である第１連通路を区画する第１区画壁面は、前記下階空間及び前記上階空間と対向して配置される第１対向壁面を備え、前記２つの連通路の他方の連通路である第２連通路を区画する第２区画壁面は、前記下階空間及び前記上階空間と対向して配置される第２対向壁面を備え、前記第１空調機は、前記第１対向壁面及び前記第２対向壁面の一方の対向壁面に沿って、前記上階空間の階層に風を供給可能であり、前記第２空調機は、前記第１対向壁面及び前記第２対向壁面の他方の対向壁面に沿って、前記下階空間の階層に風を供給可能であることが好ましい。
【００１０】
本発明の１つの実施形態として、前記第１連通路及び前記第２連通路は、平面視で前記下階空間及び前記上階空間を挟む位置に配置されており、前記第１対向壁面及び前記第２対向壁面は、対向して配置されていることが好ましい。
【００１１】
本発明の１つの実施形態として、前記第１空調機は、平面視で前記第１連通路の位置に設けられ、前記第２連通路に向かって吹き出し口が向けられており、前記第２空調機は、平面視で前記第２連通路の位置に設けられ、前記第１連通路に向かって吹き出し口が向けられていることが好ましい。
【００１２】
本発明の１つの実施形態として、前記第１空調機は、前記第２対向壁面に沿って、前記下階空間の階層から前記上階空間の階層に風を供給し、前記第２空調機は、前記第１対向壁面に沿って、前記上階空間の階層から前記下階空間の階層に風を供給することが好ましい。
【００１３】
本発明の１つの実施形態として、前記第２区画壁面は、平面視で、前記第２対向壁面の延在方向において前記第２対向壁面の両側に位置し、前記下階空間及び前記上階空間に向かって延在する２つの側壁面を備え、前記第１空調機は、前記２つの側壁面の一方に沿って風を送り出し、前記第２対向壁面、前記２つの側壁面の他方、の順に沿うように風を送り出した後、前記第１対向壁面に沿って、前記下階空間の階層から前記上階空間の階層に、風を供給可能であることが好ましい。
【００１４】
本発明の１つの実施形態として、前記２つの側壁面を、２つの第２側壁面とした場合、前記第１区画壁面は、平面視で、前記第１対向壁面の延在方向において前記第１対向壁面の両側に位置し、前記下階空間及び前記上階空間に向かって延在する２つの第１側壁面を備え、前記第２空調機は、前記２つの第１側壁面の一方に沿って風を送り出し、前記第１対向壁面、前記２つの第１側壁面の他方、の順に沿うように風を送り出した後、前記第２対向壁面に沿って、前記上階空間の階層から前記下階空間の階層に、風を供給可能であることが好ましい。
【００１５】
本発明の１つの実施形態として、前記２つの第１側壁面の少なくとも１つは、前記下階空間を区画する下階区画壁面、及び、前記上階空間を区画する上階区画壁面、の少なくともいずれか一方の壁面と連続しており、前記少なくともいずれか一方の壁面は、前記２つの第２側壁面の少なくとも１つと連続していることが好ましい。
【００１６】
本発明の１つの実施形態としての空調システムは、前記第１空調機及び前記第２空調機の風量を制御する制御装置を備え、前記制御装置は、前記第１空調機の風量と前記第２空調機の風量との大小関係を、冷房時と暖房時とで変更することが好ましい。
【００１７】
本発明の１つの実施形態として、前記制御装置は、冷房時において、前記第２空調機の風量を、前記第１空調機の風量よりも小さくすることが好ましい。
【００１８】
本発明の１つの実施形態として、前記制御装置は、暖房時において、前記第１空調機の風量を、前記第２空調機の風量よりも小さくすることが好ましい。
【００１９】
本発明の１つの実施形態としての空調システムは、前記第１空調機及び前記第２空調機の風量を制御する制御装置と、前記下階空間の階層に設けられた下階人感センサと、前記上階空間の階層に設けられた上階人感センサと、を備え、前記制御装置は、前記下階人感センサ及び前記上階人感センサの検出結果に基づき、前記第１空調機及び前記第２空調機の風量を制御することが好ましい。
【００２０】
本発明の１つの実施形態として、前記下階人感センサ及び前記上階人感センサの一方の人感センサが人を検出し、かつ、他方の人感センサが人を検出していない場合、前記制御装置は、前記第１空調機及び前記第２空調機のうち、前記一方の人感センサが配置されている階層に設けられている空調機の風量を、前記他方の人感センサが配置されている階層に設けられている空調機の風量よりも小さくすることが好ましい。
【００２１】
本発明の１つの実施形態として、前記制御装置は、前記第１空調機の風量及び前記第２空調機の風量の総和を所定値以上に維持するように、前記第１空調機の風量及び前記第２空調機の風量を制御することが好ましい。
【００２２】
本発明の第２の態様としての建物は、上記空調システムを備える。
【００２３】
本発明の第３の態様としての空調方法は、少なくとも１つの床部を挟んで鉛直方向の上下に位置する下階空間及び上階空間と、前記下階空間及び前記上階空間と水平方向で連続すると共に、前記下階空間の階層から前記上階空間の階層に亘って延在している２つの連通路と、を備える建物、の空調方法であって、前記下階空間の階層において、平面視で、前記下階空間、又は、前記２つの連通路、の位置に設置されている第１空調機により、前記２つの連通路の一方を通じて、前記下階空間の階層から前記上階空間の階層に風を供給すると共に、前記上階空間の階層において、平面視で、前記上階空間、又は、前記２つの連通路、の位置に設置されている第２空調機により、前記２つの連通路の他方を通じて、前記上階空間の階層から前記下階空間の階層に風を供給することにより、前記下階空間の階層と前記上階空間の階層とで空気を循環させる。
【発明の効果】
【００２４】
本発明によれば、上下階での空気の循環性能を向上可能な位置に配置された空調機を備える空調システム、建物、及び、空調方法を提供することができる。
【図面の簡単な説明】
【００２５】
【図１】本発明の一実施形態としての建物の１階平面図である。
【図２】図１に示す建物の２階平面図である。
【図３】図１及び図２におけるＩ−Ｉ断面での縦断面図である。
【図４】図１及び図２におけるＩＩ−ＩＩ断面での縦断面図である。
【図５】図１〜図４に示す建物において第１空調機及び第２空調機を用いて実行される空気の循環の一例を示す図である。
【図６】図１〜図４に示す建物において第１空調機及び第２空調機を用いて実行される空気の循環の別の一例のうち、１階での循環経路を示す図である。
【図７】図１〜図４に示す建物において第１空調機及び第２空調機を用いて実行される空気の循環の別の一例のうち、２階での循環経路を示す図である。
【図８】本発明の一実施形態としての空調システムの運転制御の概要を示す図である。
【発明を実施するための形態】
【００２６】
以下、本発明に係る空調システム、建物及び空調方法の実施形態について、図１〜図８を参照して説明する。各図において共通する部材・部位には同一の符号を付している。
【００２７】
図１、図２は、本発明の一実施形態としての建物１の平面図である。具体的に、図１は、建物１の１階平面図である。図２は、建物１の２階平面図である。また、図３は、図１及び図２におけるＩ−Ｉ断面での建物１の縦断面図である。図４は、図１及び図２におけるＩＩ−ＩＩ断面での建物１の縦断面図である。
【００２８】
まず、本実施形態の建物１の概略について説明する。本実施形態の建物１は、例えば鉄骨造の軸組みを有する２階建ての住宅であり、鉄筋コンクリート造の基礎と、柱や梁などの軸組部材で構成された軸組架構を有し、基礎に固定された上部構造体と、で構成される。なお、軸組架構を構成する軸組部材は、予め規格化（標準化）されたものであり、予め工場にて製造されたのち建築現場に搬入されて組み立てられる。
【００２９】
上部構造体の軸組架構は、複数の柱及び複数の梁などから構成されている。軸組架構の外周部には、外周壁を構成する外装材等が配置される。また、軸組架構の層間部には、床部を構成する床スラブ材等が配置される。更に、軸組架構の上部には、陸屋根を構成する屋根床スラブ材等が配置される。
【００３０】
建物１の外周壁は、例えば、表面側に防水層としての塗膜が形成された軽量気泡コンクリート（ＡＬＣ）からなる外装パネル材を連接されて構成された外部仕上げ層と、例えば、フェノールフォーム等の発泡樹脂系の断熱パネル材を外装仕上げ層の内面に沿って連接されて構成された断熱層と、石膏ボートと石膏ボード表面に貼設された壁クロス等の仕上げ材とで構成された内部仕上げ層と、を備えたものとすることができるが、特に限定されるものではない。外周壁は、少なくとも所定の防耐火性能及び防水性能を有するものであればよい。
【００３１】
建物１の床部は、床スラブ材を含む。床スラブ材は、軸組架構の梁間に架設され、梁により直接的又は間接的に支持される。床スラブ材としては、例えば、ＡＬＣパネルを用いることできるが、折板、押出成形セメント板、木質パネル材などの別の部材を用いてもよい。床部は、床スラブ材に加えて、例えば、床スラブ材に対して直接的又は間接的に取り付けられる、下階としての１階の天井面を構成する天井内装材や、床スラブ材上に積層された、上階としての２階の床面を構成するフローリング等の床内装材などを含むものであってもよい。
【００３２】
なお、陸屋根を構成する屋根床スラブ材についても、ＡＬＣパネルを用いることができるが、ＡＬＣパネルに限られるものではない。また、屋根床スラブ材は、例えば塩化ビニル樹脂から形成されている防水シート等により覆われることにより、防水処理が施されている。また、建物１の屋根は、陸屋根に限らず、スレート等の屋根外装材を用いた勾配屋根としてもよい。
【００３３】
次に、本実施形態の建物１の間取りについて説明する。
【００３４】
図１に示すように、本実施形態の建物１の１階には、リビング・ダイニング・キッチン８１（以下、「ＬＤＫ８１」と記載する。）、個室８２、玄関８３、トイレ８４、洗面所８５、浴室８６及び廊下８７が設けられている。
【００３５】
図２に示すように、本実施形態の建物１の２階には、４つの個室８８〜９１、トイレ９２並びに廊下９３が設けられている。
【００３６】
但し、上述の１階及び２階の間取りは一例であり、この間取りに限られるものではない。
【００３７】
本実施形態の建物１のＬＤＫ８１には、２階まで連なる吹き抜け空間が設けられている。この吹き抜け空間が、本実施形態の後述する第１連通路４を構成している。
【００３８】
また、本実施形態の建物１には、１階と２階とをつなぐ階段１５が設けられた階段室９４がある。この階段室９４が、本実施形態の後述する第２連通路５を構成している。
【００３９】
次に、建物１の更なる詳細について説明する。
【００４０】
図１〜図４に示すように、建物１は、下階空間２と、上階空間３と、２つの連通路と、空調システムと、を備えている。本実施形態の建物１は、２つのみの連通路を備える構成であるが、２つのみの連通路に限らず、３つ以上の連通路を備える構成であってもよい。本実施形態の２つの連通路は、第１連通路４及び第２連通路５である。また、空調システムは、対流式の第１空調機６、及び、対流式の第２空調機７、を備えている。
【００４１】
下階空間２及び上階空間３は、少なくとも１つの床部１１（図３参照）を挟んで鉛直方向の上下に位置する空間である。本実施形態の建物１は、上述したように２階建てである。そのため、本実施形態の下階空間２は、建物１の１階と２階との間の床部１１（図３参照）を挟んで鉛直方向下方に位置する１階の空間である。また、本実施形態の上階空間３は、建物１の１階と２階との間の床部１１（図３参照）を挟んで鉛直方向上方に位置する２階の空間である。なお、本実施形態の建物１において、下階空間２と上階空間３との間に挟まれる床部１１には、鉛直方向に貫通する大きな孔など、下階空間２と上階空間３との間で風の移動を可能とする開口部は形成されていない。但し、下階空間２及び上階空間３の間で空気の流れが発生しない程度の孔であれば、形成されていてもよい。
【００４２】
図３に示すように、第１連通路４は、下階空間２及び上階空間３と水平方向で連続する。また、図３に示すように、第１連通路４は、下階空間２の階層としての１階から上階空間３の階層としての２階に亘って延在している。換言すれば、下階空間２及び上階空間３は、第１連通路４を介して連通している。
【００４３】
図３に示すように、第２連通路５は、下階空間２及び上階空間３と水平方向で連続する。また、図３に示すように、第２連通路５は、下階空間２の階層としての１階から上階空間３の階層としての２階に亘って延在している。換言すれば、下階空間２及び上階空間３は、第２連通路５を介して連通している。
【００４４】
このように、下階空間２及び上階空間３は、水平方向で第１連通路４及び第２連通路５と連続する空間である。その一方で、下階空間２及び上階空間３は、水平方向で、第１連通路４及び第２連通路５とは異なる別の内部空間と連続しないようにすることが可能に構成された空間である。
【００４５】
より具体的に、下階空間２とは、水平方向の周囲の一部で第１連通路４及び第２連通路５と連続し、かつ、水平方向の周囲の残りの部分が下階区画壁面１６により区画されている空間である。本実施形態の建物１の下階空間２は、ＬＤＫ８１の一部である。また、上階空間３とは、水平方向の周囲の一部で第１連通路４及び第２連通路５と連続し、かつ、水平方向の周囲の残りの部分が上階区画壁面１７により区画されている空間である。本実施形態の建物１の上階空間３は、廊下９３である。
【００４６】
下階区画壁面１６には、建物１の別の内部空間につながる出入り口などの開口部が形成されているが、開口部には開閉可能な建具が設けられている。そのため、下階区画壁面１６の開口部に設けられている建具を閉じることにより、下階空間２を、第１連通路４及び第２連通路５とは異なる、建物１の下階としての１階の別の内部空間、と連続しないようにすることができる。逆に、下階区画壁面１６の開口部に設けられている建具を開けることにより、下階空間２を、第１連通路４及び第２連通路５に加えて、建物１の１階の別の内部空間と、水平方向で連続する空間とすることができる。
【００４７】
本実施形態では、下階区画壁面１６とは、ＬＤＫ８１を区画する壁面であり、個室８２に出入り可能な出入り口８２ａ、洗面所８５に出入り可能な出入り口８５ａ、及び、廊下８７に出入り可能な出入り口８７ａ、が形成されている。そして、各出入り口８２ａ、８５ａ及び８７ａには、建具８２ｂ、８５ｂ及び８７ｂが設けられている。
【００４８】
なお、下階空間２の鉛直方向の上方は下階天井面１８により区画されている。また、下階空間２の鉛直方向の下方は下階床面１９により区画されている。
【００４９】
上階区画壁面１７も、下階区画壁面１６と同様である。上階区画壁面１７には、建物１の別の内部空間につながる出入り口などの開口部が形成されているが、開口部には開閉可能な建具が設けられている。そのため、上階区画壁面１７の開口部に設けられている建具を閉じることにより、上階空間３を、第１連通路４及び第２連通路５とは異なる、建物１の上階としての２階の別の内部空間、と連続しないようにすることができる。逆に、上階区画壁面１７の開口部に設けられている建具を開けることにより、上階空間３を、第１連通路４及び第２連通路５に加えて、建物１の２階の別の内部空間と、水平方向で連続する空間とすることができる。
【００５０】
本実施形態では、上階区画壁面１７とは、廊下９３を区画する壁面であり、個室８８〜９１に出入り可能な出入り口８８ａ〜９１ａ、及び、トイレ９２に出入り可能な出入り口９２ａ、が形成されている。そして、各出入り口８８ａ〜９２ａには、建具８８ｂ〜９２ｂが設けられている。また、廊下９３と第１連通路４との間には、腰壁９５が設けられており、廊下９３と第２連通路５との間にも、別の腰壁９６が設けられている。なお、腰壁９５、９６に代えて、手すり子等の縦材間に開口部が形成されている手摺を設けてもよい。このようにすれば、手摺の開口部を通じても空気を流通させることが可能となる。
【００５１】
なお、上階空間３の鉛直方向の上方は上階天井面２０により区画されている。また、上階空間３の鉛直方向の下方は上階床面２１により区画されている。
【００５２】
また、本実施形態の第１連通路４は、ＬＤＫ８１の一部である吹き抜け空間により構成されているが、下階空間２の階層から上階空間３の階層まで風の移動が可能な空間であれば、吹き抜け空間に限られるものではない。したがって、第１連通路４を、例えば、すのこ状の床など通気性を有する床により上下に分けられた空間により構成してもよく、階段室により構成してもよい。また、第２連通路５も同様である。本実施形態の第２連通路５は、階段室９４により構成されているが、この構成に限らず、例えば、第２連通路５を吹き抜け空間としてもよく、すのこ状の床など通気性を有する床により上下に分けられた空間としてもよい。
【００５３】
対流式の第１空調機６は、下階空間２の階層において、平面視（図１参照）で、下階空間２、又は、２つの連通路、の位置に設置することができる。本実施形態の第１空調機６は、平面視（図１参照）で、２つの連通路の一方の連通路である第１連通路４、の位置に配置されている。
【００５４】
対流式の第２空調機７は、上階空間３の階層において、平面視（図２参照）で、上階空間３、又は、２つの連通路、の位置に設置することができる。本実施形態の第２空調機７は、平面視（図２参照）で、２つの連通路の他方の連通路である第２連通路５、の位置に配置されている。
【００５５】
本実施形態の第１空調機６及び第２空調機７は、風を供給可能な対流式の空調機であれば特に限定されない。但し、第１空調機６及び第２空調機７として、冷房装置及び暖房装置の両方を兼ねる空調機とすることが好ましい。
【００５６】
建物１は、上述した下階空間２、上階空間３、並びに、２つの連通路としての第１連通路４及び第２連通路５、を備えている。そして、空調システムの対流式の第１空調機６及び第２空調機７を、平面視（図１、図２参照）において、上述の所定位置に配置することにより、下階空間２、上階空間３、第１連通路４及び第２連通路５を利用して、下階空間２の階層及び上階空間３の階層での空気の循環性能を向上させることができ、均一な温度に空調し易くすることができる。上記構成により実行可能な下階空間２の階層及び上階空間３の階層での空気の循環の具体例については後述する（図５〜図７参照）。
【００５７】
以下、本実施形態の空調システム及び建物１について、より詳細に説明する。
【００５８】
図１〜図３に示すように、本実施形態の第１連通路４は、水平方向の周囲に位置する第１区画壁面８と、鉛直方向の上方に位置する第１天井面９と、鉛直方向の下方に位置する第１床面１０と、により区画されている。
【００５９】
第１区画壁面８は、下階空間２及び上階空間３と対向して配置される第１対向壁面８ａと、平面視（図１、図２参照）で、第１対向壁面８ａの延在方向Ａにおいて第１対向壁面８ａの両側に位置し、下階空間２及び上階空間３に向かって延在する一対の第１側壁面８ｂ及び８ｃと、を備えている。なお、本実施形態では一対の第１側壁面８ｂ及び８ｃとしているが、少なくとも２つの第１側壁面があればよい。
【００６０】
より具体的に、本実施形態の第１対向壁面８ａは、平面視（図１、図２参照）で延在方向Ａに直線状に延在している。また、本実施形態の一対の第１側壁面８ｂ及び８ｃは、平面視（図１、図２参照）で、延在方向Ａと略直交する直交方向Ｂに直線状に延在している。更に、本実施形態の第１対向壁面８ａは、一対の第１側壁面８ｂ及び８ｃそれぞれと連続している。すなわち、第１区画壁面８は、平面視（図１、図２参照）で、コの字状に延在しており、平面視（図１、図２参照）で、第１区画壁面８、下階空間２及び上階空間３により囲まれている略四角形の空間が第１連通路４としての吹き抜け空間である。なお、第１側壁面８ｂのうち１階の部分には、引き違い戸を設けてもよい。
【００６１】
なお、本実施形態の第１対向壁面８ａは、建物１の外部空間と内部空間とを区画する外周壁の屋内側の面により構成されている。本実施形態の第１対向壁面８ａの１階の位置には、開閉可能な建具としての掃き出し窓が設けられた開口部２２が形成されている。また、本実施形態の一対の第１側壁面８ｂ及び８ｃは、建物１の内部空間同士を区画する仕切壁の片側の面により構成されている。
【００６２】
本実施形態の第１天井面９は、水平方向に略平行な面で構成されているが、第１連通路４の鉛直方向の上側を区画する面であればよく、その構成は特に限定されるものではない。したがって、第１天井面９を、例えば、水平方向に対して所定の角度で傾斜する面で構成してもよい。また、第１天井面９を、例えば、湾曲面により構成してもよい。
【００６３】
更に、本実施形態の第１天井面９は、第１区画壁面８の鉛直方向の上端と連続している。具体的に、第１対向壁面８ａの鉛直方向の上端、並びに、一対の第１側壁面８ｂ及び８ｃそれぞれの鉛直方向の上端、は第１天井面９に連続している。
【００６４】
本実施形態の第１床面１０は、水平方向に略平行な面で構成されている。本実施形態の第１床面１０は、建物１の１階において床面積が最大の居室としてのＬＤＫ８１の床面の一部である。
【００６５】
本実施形態の第２連通路５は、水平方向の周囲に位置する第２区画壁面１２と、鉛直方向の上方に位置する第２天井面１３と、鉛直方向の下方に位置する第２床面１４と、により区画されており、第２連通路５内に、下階空間２と上階空間３とをつなぐ階段１５が設けられている。
【００６６】
第２区画壁面１２は、下階空間２及び上階空間３と対向して配置される第２対向壁面１２ａと、平面視（図１、図２参照）で、第２対向壁面１２ａの延在方向Ｃ（本実施形態では延在方向Ａと同じ方向）において第２対向壁面１２ａの両側に位置し、下階空間２及び上階空間３に向かって延在する一対の第２側壁面１２ｂ及び１２ｃと、を備えている。なお、本実施形態では一対の第２側壁面１２ｂ及び１２ｃとしているが、少なくとも２つの第２側壁面があればよい。
【００６７】
より具体的に、本実施形態の第２対向壁面１２ａは、平面視（図１、図２参照）で延在方向Ｃに直線状に延在している。また、本実施形態の一対の第２側壁面１２ｂ及び１２ｃは、平面視（図１、図２参照）で、延在方向Ｃと略直交する直交方向Ｄ（本実施形態では直交方向Ｂと同じ方向）に直線状に延在している。更に、本実施形態の第２対向壁面１２ａは、一対の第２側壁面１２ｂ及び１２ｃそれぞれと連続している。すなわち、第２区画壁面１２は、平面視（図１、図２参照）で、コの字状に延在しており、平面視（図１、図２参照）で、第２区画壁面１２、下階空間２及び上階空間３により囲まれている略四角形の空間が第２連通路５としての階段室９４である。
【００６８】
なお、本実施形態の第２対向壁面１２ａは、建物１の外部空間と内部空間とを区画する外周壁の屋内側の面により構成されている。本実施形態の第２対向壁面１２ａの２階の位置には、ガラス窓が設けられた開口部２３が形成されている。また、本実施形態の一対の第２側壁面１２ｂ及び１２ｃは、建物１の内部空間同士を区画する仕切壁の片側の面により構成されている。
【００６９】
本実施形態の第２天井面１３は、水平方向に略平行な面で構成されているが、第２連通路５の鉛直方向の上側を区画する面であればよく、その構成は特に限定されるものではない。したがって、第２天井面１３を、例えば、水平方向に対して所定の角度で傾斜する面で構成してもよい。また、第２天井面１３を、例えば、湾曲面により構成してもよい。
【００７０】
更に、本実施形態の第２天井面１３は、第２区画壁面１２の鉛直方向の上端と連続している。具体的に、第２対向壁面１２ａの鉛直方向の上端、並びに、一対の第２側壁面１２ｂ及び１２ｃそれぞれの鉛直方向の上端、は第２天井面１３に連続している。
【００７１】
本実施形態の第２床面１４は、水平方向に略平行な面で構成されている。本実施形態の第２床面１４は、建物１の階段室９４の１階の床面である。
【００７２】
本実施形態の建物１の空調システムによれば、上述の第１連通路４及び第２連通路５を利用して、下階空間２及び上階空間３を効率的に均一温度にする空調を実現することができる。
【００７３】
具体的に、第１空調機６は、第１対向壁面８ａ及び第２対向壁面１２ａの一方の対向壁面に沿って、上階空間３の階層に風を供給可能である。そして、第２空調機７は、第１対向壁面８ａ及び第２対向壁面１２ａの他方の対向壁面に沿って、下階空間２の階層に風を供給可能である。第１空調機６及び第２空調機７をこのような構成とすれば、第１空調機６から供給される風と、第２空調機７から供給される風と、が衝突して相殺することを抑制することができると共に、第１空調機６から供給される風と、第２空調機７から供給される風と、を協調させた空気の一方向の循環経路を形成し易くすることができる。なお、空気の循環経路の具体例については後述する（図５〜図７参照）。
【００７４】
また、図１、図２に示すように、本実施形態の第１連通路４及び第２連通路５は、平面視で下階空間２及び上階空間３を挟む位置に配置されている。そして、同平面視（図１、図２参照）において、第１対向壁面８ａ及び第２対向壁面１２ａは、対向して配置されている。
【００７５】
更に、図１に示すように、第１空調機６は、平面視で第１連通路４の位置に設けられ、図３に示すように、第２連通路５に向かって吹き出し口６ａが向けられている。また、図２に示すように、第２空調機７は、平面視で第２連通路５の位置に設けられ、図３に示すように、第１連通路４に向かって吹き出し口７ａが向けられている。なお、第１空調機６の吹き出し口６ａの角度、及び、第２空調機７の吹き出し口７ａの角度、は後述する空気の循環経路に対応して適宜調整される。
【００７６】
以下、本実施形態の建物１において、第１空調機６及び第２空調機７を用いて実行可能な、下階空間２、上階空間３、第１連通路４及び第２連通路５での空気の循環の具体例を説明する。
【００７７】
図５は、本実施形態の建物１において、第１空調機６及び第２空調機７を用いて実行される、空気の循環の一例を示す図である。図５は、図３と同一断面を示しており、第１空調機６及び第２空調機７による風の循環経路を図中の矢印により示している。
【００７８】
本実施形態の第１空調機６は、下階空間２の階層としての１階において、第１対向壁面８ａに取り付けられており、第２連通路５に向かって風（以下、「第１吹き出し流」と記載する。）を供給可能である。具体的に、本実施形態の第１空調機６から供給される第１吹き出し流は、１階で、第１連通路４及び下階空間２を通って、第２連通路５に供給される。そして、第２連通路５に供給された第１吹き出し流は、第２対向壁面１２ａに沿って、上階空間３の階層としての２階に吹き込む。すなわち、本実施形態の第１空調機６は、第２対向壁面１２ａに沿って、下階空間２の階層としての１階から、上階空間３の階層としての２階に、風を供給することができる。
【００７９】
本実施形態の第２空調機７は、上階空間３の階層としての２階において、第２対向壁面１２ａに取り付けられており、第１連通路４に向かって風（以下、「第２吹き出し流」と記載する。）を供給可能である。具体的に、本実施形態の第２空調機７から供給される第２吹き出し流は、２階で、第２連通路５及び上階空間３を通って、第１連通路４に供給される。そして、第１連通路４に供給された第２吹き出し流は、第１対向壁面８ａに沿って、下階空間２の階層としての１階に吹き込む。すなわち、本実施形態の第２空調機７は、第１対向壁面８ａに沿って、上階空間３の階層としての２階から、下階空間２の階層としての１階に、風を供給することができる。
【００８０】
したがって、第１空調機６及び第２空調機７を同時に使用し、第１空調機６からの第１吹き出し流、及び、第２空調機７からの第２吹き出し流、を同時に利用することで、下階空間２、第２連通路５、上階空間３、第１連通路４の順に、空気を繰り返し循環させ易くすることができる。その結果、第１空調機６及び第２空調機７のいずれか一方のみを使用した空調と比較して、下階空間２、上階空間３、第１連通路４及び第２連通路５の温度を、より迅速に均一化することができる。
【００８１】
なお、第１空調機６からの第１吹き出し流は、下階空間２の下階床面１９及び第２連通路５の第２床面１４に沿って第２連通路５まで供給される場合、そのまま第２対向壁面１２ａに沿うようにして２階へと上昇する。また、第１空調機６からの第１吹き出し流は、下階空間２の下階床面１９及び第２連通路５の第２床面１４を沿わずに第２連通路５まで供給される場合、第２対向壁面１２ａに衝突し、その一部が第２対向壁面１２ａに沿って２階へと上昇する。
【００８２】
特に、暖房時は、暖気が上昇する性質、及び、上階の空気が出て行ったらその分を補給するための気流が生じる現象、を利用することができる。つまり、第１空調機６から第２連通路５に供給される暖気の第１吹き出し流が、第２連通路５を通じて上昇し易い。また、上階での第２空調機７からの第２吹き出し流による空気の移動により、移動した分の空気を補給するような気流を発生させ易くすることができる。その結果、第１吹き出し流が第２連通路５を通じて上昇し易くなる。暖房時にこれら性質及び現象を利用することで、下階空間２、上階空間３、第１連通路４及び第２連通路５の温度を、より一層、迅速に均一化することができる。
【００８３】
また、第２空調機７からの第２吹き出し流は、上階空間３の上階天井面２０及び第１連通路４の第１天井面９に沿って第１連通路４まで供給される場合、そのまま第１対向壁面８ａに沿うようにして１階へと下降する。また、第２空調機７からの第２吹き出し流は、上階空間３の上階天井面２０及び第１連通路４の第１天井面９を沿わずに、上階床面２１に沿って、又は、上階床面２１にも沿わずに、第１連通路４まで供給される場合、第１対向壁面８ａに衝突し、その一部が第１対向壁面８ａに沿って１階へと下降する。
【００８４】
特に、冷房時は、冷気が下降する性質、及び、下階の空気が出て行ったらその分を補給するための気流が生じる現象、を利用することができる。つまり、第２空調機７から第１連通路４に供給される冷気の第２吹き出し流が、第１連通路４を通じて下降し易い。また、下階での第１空調機６からの第１吹き出し流による空気の移動により、移動した分の空気を補給するような気流を発生させ易くすることができる。その結果、第２吹き出し流が第１連通路４を通じて下降し易くなる。冷房時にこれら性質及び現象を利用することで、下階空間２、上階空間３、第１連通路４及び第２連通路５の温度を、より一層、迅速に均一化することができる。
【００８５】
次に、本実施形態の建物１において、第１空調機６及び第２空調機７を用いて実行可能な、図５に示す風の循環経路とは異なる循環経路の具体例について説明する。図６及び図７は、図５に示す風の循環経路と異なる循環経路を示す図である。なお、図６は図１と同様の建物１の１階平面図であり、第１空調機６からの風である第１吹き出し流の循環経路を示している。また、図７は図２と同様の建物１の２階平面図であり、第２空調機７からの風である第２吹き出し流の循環経路を示している。
【００８６】
ここで、図５〜図７に示す第１空調機６及び第２空調機７は、いずれも同じ位置に配置されているが、図６及び図７に示す第１空調機６及び第２空調機７では、風の循環経路を図５に示す循環経路と異ならせるため、第１空調機６の吹き出し口６ａの鉛直方向及び水平方向の角度や、第２空調機７の吹き出し口７ａの鉛直方向及び水平方向の角度等、が調整されている。但し、第１空調機６及び第２空調機７の平面視での位置を変更して、風の循環経路を変更することも可能である。例えば、第１空調機６を、１階の第１側壁面８ｃ側に配置すると共に、第２空調機７を、トイレ９２の出入り口９２ａの上部の壁面上に配置してもよい。また、第１空調機６は、下階空間２の下階区画壁面１６又は下階天井面１８に配置してもよい。更に、第２空調機７は、上階空間３の上階区画壁面１７又は上階天井面２０に配置してもよい。
【００８７】
まず、図６に示す第１空調機６から供給される第１吹き出し流の循環経路について説明する。図６に示すように、第１空調機６は、一対の第２側壁面１２ｂ及び１２ｃの一方（本実施形態では第２側壁面１２ｃ）に沿って風を送り出し、第２対向壁面１２ａ、一対の第２側壁面１２ｂ及び１２ｃの他方（本実施形態では第２側壁面１２ｂ）、の順に沿うように風を送り出す。つまり、図６に示す第１空調機６からの第１吹き出し流は、主に、第２連通路５から上階に上昇せず、第２連通路５を区画する第２区画壁面１２を利用して下階空間２内へと折り返し、第１連通路４に戻る。このように、図６に示す風の循環経路によれば、図５に示す風の循環経路と比較して、下階空間２の階層としての１階において、第１吹き出し流を、下階空間２、第１連通路４及び第２連通路５に、より広く行き渡らせることができる。すなわち、下階空間２の階層としての１階での、下階空間２、第１連通路４及び第２連通路５の温度ムラを、より軽減することができる。
【００８８】
そして、図６に示す第１空調機６によれば、第１吹き出し流を１階で循環させた後、第１対向壁面８ａに沿って、下階空間２の階層である１階から、上階空間３の階層である２階に、風を供給可能である。つまり、図６に示す第１空調機６からの第１吹き出し流は、主に、第１連通路４から２階に上昇する。
【００８９】
次に、図７に示す第２空調機７から供給される第２吹き出し流の循環経路について説明する。図７に示すように、第２空調機７は、一対の第１側壁面８ｂ及び８ｃの一方（本実施形態では第１側壁面８ｃ）に沿って風を送り出し、第１対向壁面８ａ、一対の第１側壁面８ｂ及び８ｃの他方（本実施形態では第１側壁面８ｂ）、の順に沿うように風を送り出す。つまり、図７に示す第２空調機７からの第２吹き出し流は、主に、第１連通路４から下階に下降せず、第１連通路４を区画する第１区画壁面８を利用して上階空間３内へと折り返し、第２連通路５に戻る。このように、図７に示す風の循環経路によれば、図５に示す風の循環経路と比較して、上階空間３の階層としての２階において、第２吹き出し流を、上階空間３、第１連通路４及び第２連通路５に、より広く行き渡らせることができる。すなわち、上階空間３の階層としての２階での、上階空間３、第１連通路４及び第２連通路５の温度ムラを、より軽減することができる。
【００９０】
そして、図７に示す第２空調機７によれば、第２吹き出し流を２階で循環させた後、第２対向壁面１２ａに沿って、上階空間３の階層である２階から、下階空間２の階層である１階に、風を供給可能である。つまり、図７に示す第２空調機７からの第２吹き出し流は、主に、第２連通路５から１階に下降する。
【００９１】
このように、図６及び図７に示す風の循環経路を形成すれば、上下階の空気の循環の効率化に加えて、各階での温度ムラを抑制することができる。
【００９２】
なお、図６及び図７に示す、風の同一階層内での循環を効率的に行うため、下階空間２を区画する下階区画壁面１６、及び、上階空間３を区画する上階区画壁面１７、は第１連通路４と第２連通路５との間を風が移動し易いようなガイド面を構成することが好ましい。本実施形態では、１階において、第１区画壁面８の第１側壁面８ｂが、下階区画壁面１６に直線状に連続している。また、２階において、第１区画壁面８の第１側壁面８ｂが、上階区画壁面１７に直線状に連続している。更に、本実施形態では、１階において、第２区画壁面１２の第２側壁面１２ｃが、下階区画壁面１６に直線状に連続している。また更に、２階において、第２区画壁面１２の第２側壁面１２ｃが、上階区画壁面１７に直線状に連続している。
【００９３】
したがって、第１空調機６からの第１吹き出し流は、１階において、直線状に並ぶ、第１側壁面８ｂ、下階区画壁面１６の一部（本実施形態では出入り口８２ａ及び出入り口８７ａが形成されている壁面）及び第２側壁面１２ｃに沿って、第２対向壁面１２ａまでガイドされる。また、第２空調機７からの第２吹き出し流は、２階において、第１側壁面８ｃ及び第１対向壁面８ａに沿って進み、その後、直線状に並ぶ、第１側壁面８ｂ、上階区画壁面１７の一部（本実施形態では出入り口９０ａ及び出入り口９１ａが形成されている壁面）及び第２側壁面１２ｃに沿って、第２対向壁面１２ａまでガイドされる。このように、第１連通路４と第２連通路５との間での風の行き来をガイドするようにすることが好ましい。換言すれば、一対の第１側壁面８ｂ及び８ｃの少なくとも１つは、下階区画壁面１６及び上階区画壁面１７のいずれか一方の壁面と連続しており、かつ、このいずれか一方の壁面が、一対の第２側壁面１２ｂ及び１２ｃの少なくとも１つと連続している、ことが好ましい。特に、本実施形態のように直線状に連続していることが好ましい。
【００９４】
以上のように、本実施形態の建物１の空調システムによれば、図５に示す風の循環経路、及び、図６、図７に示す風の循環経路、を実現することができる。すなわち、本実施形態の空調システムによれば、対流式の第１空調機６により、２つの連通路の一方（図５の例では第２連通路５であり、図６の例では第１連通路４）を通じて、下階空間２の階層（本実施形態では１階）から上階空間３の階層（本実施形態では２階）に風を供給することができる。また、本実施形態の空調システムによれば、対流式の第２空調機７により、２つの連通路の他方（図５の例では第１連通路４であり、図７の例では第２連通路５）を通じて、上階空間３の階層（本実施形態では２階）から下階空間２の階層（本実施形態では１階）に風を供給することができる。これにより、下階空間２の階層と上階空間３の階層とで空気を循環させる空調方法を実行することができる。その結果、下階空間２、上階空間３、第１連通路４及び第２連通路５を、均一温度に空調することができる。
【００９５】
なお、建物１は、外皮平均熱貫流率Ｕａ値が０．６［Ｗ/（ｍ2・Ｋ）］以下の高断熱建物であることが好ましい。建物１が上記Ｕａ値の基準を満足する高断熱建物である場合、気密性が高く、気流の流れがよくなるため、本実施形態の第１空調機６及び第２空調機７を用いた上下階空間の均一空調が、より達成され易くなる。
【００９６】
最後に、本実施形態の建物１の空調システムの制御例について説明する。図８は、空調システムの運転制御の概要を示す図である。
【００９７】
上述したように、建物１の空調システムは、第１空調機６及び第２空調機７を利用して、上下階の温度を効率的に均一化する風の循環経路を形成するものである。このような風の循環経路を形成する目的で、本実施形態の空調システムは、図８に示すように、第１空調機６及び第２空調機７の風量を制御する制御装置５０を備えている。本実施形態の制御装置５０は、第１空調機６の風量と第２空調機７の風量との大小関係を、冷房時と暖房時とで変更することができる。なお、「冷房時」とは、例えば、温度設定を２５℃〜２８℃に設定して稼働した状態である。また、「暖房時」とは、例えば、温度設定を２０℃〜２５℃に設定して稼働した状態である。
【００９８】
具体的に、本実施形態の制御装置５０は、冷房時において、第２空調機７の風量を、第１空調機６の風量よりも小さくする。上述したように、冷房時は、冷気が下降する性質を利用することができるため、第２空調機７からの第２吹き出し流を、第１連通路４又は第２連通路５を通じて、下階に供給し易い。したがって、冷房時は、第２空調機７の風量を、第１空調機６の風量よりも小さくすることで、第２空調機７によるエネルギー消費を抑制しつつ、上下階の温度を効率的に均一化する風の循環経路を形成することができる。
【００９９】
逆に、本実施形態の制御装置５０は、暖房時において、第１空調機６の風量を、第２空調機７の風量よりも小さくする。上述したように、暖房時は、暖気が上昇する性質を利用することができるため、第１空調機６からの第１吹き出し流を、第１連通路４又は第２連通路５を通じて、上階に供給し易い。したがって、暖房時は、第１空調機６の風量を、第２空調機７の風量よりも小さくすることで、第１空調機６によるエネルギー消費を抑制しつつ、上下階の温度を効率的に均一化する風の循環経路を形成することができる。
【０１００】
また、図８に示すように、本実施形態の空調システムは、下階空間２の階層としての１階に設けられた下階人感センサ５１と、上階空間３の階層としての２階に設けられた上階人感センサ５２と、を備えている。なお、本実施形態の下階人感センサ５１は、１階の位置での、下階空間２、第１連通路４及び第２連通路５において、人の存在の有無を検出することができる。また、本実施形態の上階人感センサ５２は、２階の位置での、上階空間３、第１連通路４及び第２連通路５において、人の存在の有無を検出することができる。下階人感センサ５１及び上階人感センサ５２は、サーモ機能や画像認証機能をカメラ本体又は別体に備えるカメラ等を用いることで、居住者等の人の体温や脈拍、人の年齢や男女、を特定可能である。なお、下階人感センサ５１は、下階空間２を含むＬＤＫ８１に配置されていてもよく、個室８２に配置されていてもよい。また、上階人感センサ５２は、上階空間３としての廊下９３に配置されていてもよく、個室８８〜９１のいずれか又は全てに配置されていてもよい。
【０１０１】
そして、本実施形態の制御装置５０は、下階人感センサ５１及び上階人感センサ５２の検出結果に基づき、第１空調機６及び第２空調機７の風量を制御することができる。例えば、下階人感センサ５１及び上階人感センサ５２の一方の人感センサが人を検出し、かつ、他方の人感センサが人を検出していない場合、制御装置５０は、第１空調機６及び第２空調機７のうち、上記一方の人感センサが配置されている階層に設けられている空調機の風量を、上記他方の人感センサが配置されている階層に設けられている空調機の風量よりも小さくする。
【０１０２】
より具体的には、図８に示すように、下階人感センサ５１が人を検出し、かつ、上階人感センサ５２が人を検出していない場合、制御装置５０は、第１空調機６の風量を、第２空調機７の風量よりも小さくする。また、下階人感センサ５１が人を検出しておらず、かつ、上階人感センサ５２が人を検出している場合、制御装置５０は、第２空調機７の風量を、第１空調機６の風量よりも小さくする。すなわち、本実施形態の制御装置５０は、人がいる階層に設置された空調機の風量を小さくするように制御する。このように制御することで、空調機から供給される風が人に直接あたることを抑制し、風があたることによる不快感を与え難くすることができる。なお、制御装置５０は、一方の空調機の風量を小さくする制御を実行するが、他方の空調機の風量を大きくする制御を併せて実行してもよい。
【０１０３】
更に、制御装置５０は、下階人感センサ５１により検出された人の数と、上階人感センサ５２により検出された人の数と、を比較して、検出された人の数が少ない人感センサが設置されている階層にある空調機の風量を、検出された人の数が多い人感センサが設置されている階層にある空調機の風量よりも、小さくするように制御してもよい。
【０１０４】
また、本実施形態の制御装置５０は、第１空調機６及び第２空調機７の風量の総和を所定値以上に維持するように、第１空調機６の風量及び第２空調機７の風量を制御することが好ましい。このように閾値を設定することで、空調機からの風の吹き出し量が、上下階での円滑な風の循環ができない程度まで低下することを、抑制することができる。
【０１０５】
なお、本実施形態の制御装置５０には、特に限定されるものではないが、例えばＨＥＭＳが設置されている住宅においては、ＨＥＭＳに用いるＣＰＵ、ＭＰＵ等のプロセッサを含む装置を、制御装置５０として利用することができる。
【０１０６】
本発明に係る空調システム、建物及び空調方法は、上述した実施形態に記載した具体的な構成及び工程に限られるものではなく、特許請求の範囲の記載を逸脱しない限り、種々の変更、変形が可能である。上述の実施形態の空調システムは、第１空調機６及び第２空調機７の２台の空調機のみを備える構成であるが、３台以上の空調機を備える空調システムであってもよい。つまり、本発明に係る空調システムで特定される第１空調機及び第２空調機があればよく、建物１に設置される全空調機の数が２つに限られるものではない。また、上述した実施形態の建物１は、２階建ての住宅であったが、３階以上の建物であってもよい。更に、上述の実施形態では、第１空調機６を第１連通路４の位置に配置し、第２空調機７を第２連通路５の位置に配置したが、この配置に限らず、第１空調機６を第２連通路５の位置に配置し、第２空調機７を第１連通路４の位置に配置してもよい。また更に、第１空調機６及び第２空調機７を、共に第１連通路４の位置に配置してもよく、共に第２連通路５の位置に配置してもよい。但し、風の循環性能を高める観点等により、本実施形態のように、第１空調機６及び第２空調機７の一方の空調機を、第１連通路４及び第２連通路５の一方の連通路に配置し、他方の空調機を、他方の連通路に配置するようにすることが好ましい。
【産業上の利用可能性】
【０１０７】
本発明は、空調システム、建物及び空調方法に関する。
【符号の説明】
【０１０８】
１：建物
２：下階空間
３：上階空間
４：第１連通路
５：第２連通路
６：第１空調機
６ａ：第１空調機の吹き出し口
７：第２空調機
７ａ：第２空調機の吹き出し口
８：第１区画壁面
８ａ：第１対向壁面
８ｂ、８ｃ：第１側壁面
９：第１天井面
１０：第１床面
１１：床部
１２：第２区画壁面
１２ａ：第２対向壁面
１２ｂ、１２ｃ：第２側壁面
１３：第２天井面
１４：第２床面
１５：階段
１６：下階区画壁面
１７：上階区画壁面
１８：下階天井面
１９：下階床面
２０：上階天井面
２１：上階床面
２２、２３：開口部
５０：制御装置
５１：下階人感センサ
５２：上階人感センサ
８１：ＬＤＫ
８２：個室
８２ａ：出入り口
８２ｂ：建具
８３：玄関
８４：トイレ
８５：洗面所
８５ａ：出入り口
８５ｂ：建具
８６：浴室
８７：廊下
８７ａ：出入り口
８７ｂ：建具
８８〜９１：個室
８８ａ〜９１ａ：出入り口
８８ｂ〜９１ｂ：建具
９２：トイレ
９２ａ：出入り口
９２ｂ：建具
９３：廊下
９４：階段室
９５、９６：腰壁
Ａ：平面視での第１対向壁面の延在方向
Ｂ：平面視での第１対向壁面の延在方向と略直交する直交方向
Ｃ：平面視での第２対向壁面の延在方向
Ｂ：平面視での第２対向壁面の延在方向と略直交する直交方向
【図１】
2019100599.tif 000003
【図２】
2019100599.tif 000004
【図３】
2019100599.tif 000005
【図４】
2019100599.tif 000006
【図５】
2019100599.tif 000007
【図６】
2019100599.tif 000008
【図７】
2019100599.tif 000009
【図８】
2019100599.tif 000010